(57)【要約】【課題】本発明は、クッション効果を高めることができるクッション部材を提供することを目的としている。【解決手段】クッション部材１は、空気が出入りする間隙部を有し、復元性を有する弾性部材２と、この弾性部材２を略気密的に覆うカバ−部材３とを有するものである。【選択図】図２
2004024572.tif 000002
【特許請求の範囲】
【請求項１】
空気が出入りする間隙部を有し、復元性を有する弾性部材と、
この弾性部材を略気密的に覆うカバ−部材とを有する
ことを特徴とするクッション部材。
【請求項２】
空気が出入りする間隙部を有し、復元性を有する弾性部材と、この弾性部材を略気密的に覆うカバ−部材とを有するクッション部材を複数設け、
これら複数の前記クッション部材を覆うカバ−体を有する
ことを特徴とするクッション体。
【請求項３】
空気が出入りする間隙部を有し、復元性を有する弾性部材と、この弾性部材を略気密的に覆うカバ−部材とを有するクッション部材を、衣服の外側又は内側であって、人体の大腿骨頸部に対応する部位に取り付けた
ことを特徴とする衣服。
【請求項４】
空気が出入りする間隙部を有し、復元性を有する弾性部材と、この弾性部材を略気密的に覆うカバ−部材とを有するクッション部材を複数設け、
これら複数の前記クッション部材を覆うカバ−体とを有し、
前記複数の前記クッション部材を内在した前記カバ−体を、衣服の外側又は内側であって、人体の大腿骨頸部に対応する部位に取り付けた
ことを特徴とする衣服。
【発明の詳細な説明】
【０００１】
本発明は、クッション部材、クッション体及び衣服に係り、特に、クッション効果を高めることができるクッション部材、クッション体及び衣服に関する。
【０００２】
【従来の技術と発明が解決しようとする課題】
クッション体、例えば、空気が出入りする間隙部を有し、復元性を有する弾性部材、より具体的には、発泡ウレタンがある。
荷重が発泡ウレタンに作用すると、該発泡ウレタンが収縮して、荷重が軽減されるようになっている。
しかしながら、発泡ウレタンの収縮に伴い発泡ウレタンの間隙部内の空気は発泡ウレタンの外へ流出するのみで、流出された空気は何らクッション効果に寄与していないという問題点があった。
本発明は、上述した問題点を除去するようにしたクッション部材、クッション体及び衣服を提供するものである。
【０００３】
【課題を解決するための手段】
上記目的を達成するために、請求項１記載のクッション部材は、空気が出入りする間隙部を有し、復元性を有する弾性部材と、この弾性部材を略気密的に覆うカバ−部材とを有するものである。
【０００４】
また、請求項２記載のクッション体は、空気が出入りする間隙部を有し、復元性を有する弾性部材と、この弾性部材を略気密的に覆うカバ−部材とを有するクッション部材を複数設け、これら複数の前記クッション部材を覆うカバ−体を有するものである。
【０００５】
また、請求項３記載の衣服は、空気が出入りする間隙部を有し、復元性を有する弾性部材と、この弾性部材を略気密的に覆うカバ−部材とを有するクッション部材を、衣服の外側又は内側であって、人体の大腿骨頸部に対応する部位に取り付けたものである。
【０００６】
また、請求項４記載の衣服は、空気が出入りする間隙部を有し、復元性を有する弾性部材と、この弾性部材を略気密的に覆うカバ−部材とを有するクッション部材を複数設け、これら複数の前記クッション部材を覆うカバ−体とを有し、前記複数の前記クッション部材を内在した前記カバ−体を、衣服の外側又は内側であって、人体の大腿骨頸部に対応する部位に取り付けたものである。
【０００７】
【実施例】
本発明の一実施例のクッション体及び衣服を図面を参照して説明する。
図１及び図２において、１はクッション部材で、クッション部材１は、空気が出入りする間隙部を有し、復元性を有する弾性部材２と、この弾性部材２を略気密的（望ましくは、気密的）に覆うカバ−部材３とを有する。
弾性部材２は、例えば、スポンジ状の発泡ウレタン、綿等である。また、弾性部材２を略気密的に覆うカバ−部材３にいう「略気密的」とは、クッション部材１に荷重がかかると、弾性部材２が収縮し、この弾性部材２の収縮に伴い弾性部材２の間隙部内の空気が弾性部材２の外へ流出しカバ−部材３の外へ流出しない場合は、勿論のこと、カバ−部材３から空気が多少漏れても、カバ−部材３に留まった空気により、クッション効果が得られるものを含む意である。
【０００８】
このクッション部材１によれば、空気が出入りする間隙部を有する弾性部材２をカバ−部材３により略気密的に覆うため、図２に示すように、クッション部材１に荷重がかかると、弾性部材２が収縮して該荷重が軽減されると共に、弾性部材２の収縮に伴い弾性部材２の間隙部内の空気が弾性部材２の外へ流出し、カバ−部材３は略気密的で空気の一部がカバ−部材３の外へ流出又はカバ−部材３の外へ全く流出しないことにより、カバ−部材３内に空気が留り、留まった空気がクッション効果を高めることができる。
【０００９】
上述の図１及び図２の実施例の弾性部材２は単一であるが、次に述べる実施例のものは、弾性部材２が複数の場合である。
図３乃至図５において、クッション体Ｋは、上述した空気が出入りする間隙部を有し、復元性を有する弾性部材２と、この弾性部材２を略気密的（望ましくは、気密的）に覆うカバ−部材３とを有するクッション部材１を複数（例えば、７個）設け、これら複数のクッション部材１をカバ−体５（カバ−体５は、通気性又は非通気性の素材である。）で覆ったものである。
【００１０】
このクッション体Ｋによれば、弾性部材２を略気密的にカバ−部材３で覆ったクッション部材１を複数設け、これら複数のクッション部材１をカバ−体５で覆うため、該カバ−体５の何れかの部位に荷重、特に、集中荷重が作用した場合、クッション部材１が個々に分割された分、該集中荷重による弾性部材２の収縮及び弾性部材２の収縮に伴う弾性部材２の間隙部内の空気がカバ−部材３内に留り、留まった空気によるクッション効果をより効果的に発揮することができるようになっている。
【００１１】
次に述べる実施例のものは、クッション部材１（又はクッション体Ｋ）を衣服５に装着したものである（図６及び図７参照）。
図８に示すクッション部材１は、図１に示すクッション部材１を装着部８の形状に合うように大きくしたもので、上述したように、空気が出入りする間隙部を有し、復元性を有する弾性部材２と、この弾性部材２を略気密的（望ましくは、気密的）に覆うカバ−部材３とを有している。そして、このクッション部材１を、衣服５の外側（又は内側）であって、人体の大腿骨頸部７に対応する部位に、例えば、装着部８を介して取り付けるようにしたものである。
装着部８は、例えば、痴呆老人等が装着部８よりクッション体１（又はクッション体Ｋ）を取り出しにくいように、下部に取り出し口８１を設けるようにしている。
なお、図９に示すように、クッション体Ｋを第２のカバ−９（例えば、布）で覆って装着部８に装着するようにしても良い。例えば、クッション体Ｋを第２のカバ−９で覆ったものにあっては、第２のカバ−９に垂直にかかった荷重は、弾性部材２により一部水平方向に変換される。
【００１２】
この実施例の衣服５によれば、クッション部材１を内在したカバ−部材３を、衣服５の外側又は内側であって、人体の大腿骨頸部７に対応する部位に簡易に取り付けることができ、転倒、軽微な外力による骨折を防ぐと共に、体の部位にクッション部材を密着させて装着するものと比較し、装着に違和感を生じにくく、使用勝手が良好である。
また、同様に、複数のクッション部材１を内在したカバ−体５を、衣服５の外側又は内側であって、人体の大腿骨頸部７に対応する部位に簡易に取り付けることができ、転倒、軽微な外力による骨折を防ぐと共に、体の部位にクッション部材を密着させて装着するものと比較し、装着に違和感を生じにくく、使用勝手が良好である。
【００１３】
【発明の効果】
請求項１記載のクッション部材によれば、空気が出入りする間隙部を有する弾性部材をカバ−部材により略気密的に覆うため、クッション部材に荷重がかかると、弾性部材が収縮して該荷重が軽減されると共に、弾性部材の収縮に伴い間隙部内の空気が弾性部材の外へ流出し、カバ−部材は略気密的で一部はカバ−部材の外へ流出し、カバ−部材内に殆どの空気が留り、留まった空気がクッション効果を高めることができる。
【００１４】
また、請求項２記載のクッション体によれば、上述した請求項１記載の発明の効果に加え、弾性部材を略気密的にカバ−部材で覆ったクッション部材を複数設け、これら複数のクッション部材をカバ−体で覆うため、該カバ−体の何れかの部位に荷重、特に、集中荷重が作用した場合、クッション部材が個々に分割された分、該集中荷重による弾性部材の収縮及び弾性部材の収縮に伴う弾性部材の間隙部内の空気がカバ−部材内に留り、留まった空気によるクッション効果をより効果的に発揮することができる。
【００１５】
また、請求項３記載の衣服によれば、上述した請求項１記載の発明の効果に加え、クッション部材を内在したカバ−部材を、衣服の外側又は内側であって、人体の大腿骨頸部に対応する部位に簡易に取り付けることができ、転倒、軽微な外力による骨折を防ぐと共に、体の部位にクッション部材を密着させて装着するものと比較し、装着に違和感を生じにくく、使用勝手が良好である。
【００１６】
また、請求項４記載の衣服によれば、上述した請求項２記載の発明の効果に加え、複数のクッション部材を内在したカバ−体を、衣服の外側又は内側であって、人体の大腿骨頸部に対応する部位に簡易に取り付けることができ、転倒、軽微な外力による骨折を防ぐと共に、体の部位にクッション部材を密着させて装着するものと比較し、装着に違和感を生じにくく、使用勝手が良好である。
【図面の簡単な説明】
【図１】図１は、本発明の一実施例のクッション部材の概略的斜視図である。
【図２】図２は、図１のクッション部材に荷重が作用した状態の概略的断面図である。
【図３】図３は、本発明の一実施例のクッション体の概略的斜視図である。
【図４】図４は、図３のクッション体の一部を切り欠いて示す概略的平面図である。
【図５】図５は、図４のＸ−Ｘ線による概略的断面図である。
【図６】図６は、図３のクッション部材（又は図８のクッション体）を衣服に装着する状態の概略的図である。
【図７】図７は、図６の装着部と人体の大腿骨頸部との位置関係を示す概略的図である。
【図８】図８は、図６の装着部に装着されるクッション部材の概略的斜視図である。
【図９】図９は、図６の装着部に装着されるクッション体の概略的斜視図である。
【符号の説明】
１　　　　　　クッション部材
２　　　　　　弾性部材
３　　　　　　カバ−部材
【図１】
2004024572.tif 000003
【図２】
2004024572.tif 000004
【図３】
2004024572.tif 000005
【図４】
2004024572.tif 000006
【図５】
2004024572.tif 000007
【図６】
2004024572.tif 000008
【図７】
2004024572.tif 000009
【図８】
2004024572.tif 000010
【図９】
2004024572.tif 000011